(57)【要約】【課題】  本発明はスポーツ用品に係り、鮮やかな外観を長期に亘って維持できる装飾を施したスポーツ用品を提供することを目的とする。【解決手段】  用品本体の外側に、光輝性装飾層を粘着剤層で固着して装飾層を設けると共に、該装飾層を覆って透明状クリヤー層を設けたスポーツ用品であって、前記光輝性装飾層を、光を反射する光輝性金属蒸着層と、当該光輝性金属蒸着層を覆ってその表面に取り付き、外部からの光を前記光輝性金属蒸着層へ透過し、且つ光輝性金属蒸着層の色を隠蔽する有色層とで形成すると共に、前記光輝性装飾層は、周縁部が粘着剤層を覆って立体感を有し、前記透明状クリヤー層の表面は、装飾層を設けた部分が他の部位より膨出した形状となっていることを特徴とする。【選択図】    図２
2013078322.tif 000002
【特許請求の範囲】
【請求項１】
用品本体の外側に、光輝性装飾層を粘着剤層で固着して装飾層を設けると共に、該装飾層を覆って透明状クリヤー層を設けたスポーツ用品であって、
前記光輝性装飾層を、光を反射する光輝性金属蒸着層と、当該光輝性金属蒸着層を覆ってその表面に取り付き、外部からの光を前記光輝性金属蒸着層へ透過し、且つ光輝性金属蒸着層の色を隠蔽する有色層とで形成すると共に、
前記光輝性装飾層は、周縁部が粘着剤層を覆って立体感を有し、
前記透明状クリヤー層の表面は、装飾層を設けた部分が他の部位より膨出した形状となっていることを特徴とするスポーツ用品。
【請求項２】
前記用品本体の外側と、前記粘着剤層を覆う前記光輝性装飾層の周縁部との間に、粘着剤層が介在していることを特徴とする請求項１に記載のスポーツ用品。
【請求項３】
前記有色層は、着色され、破断伸度６０％以上の柔軟性樹脂フィルムからなることを特徴とする請求項１に記載のスポーツ用品。
【請求項４】
前記透明状クリヤー層の表面は、前記装飾層を設けた部分が他の部位より膨出し、前記装飾層は厚さが２０μｍ以上８０μｍ以下で、前記光輝性装飾層の周縁部が粘着剤層を覆って装飾層が立体感を有することを特徴とする請求項１に記載のスポーツ用品。
【発明の詳細な説明】
【技術分野】
【０００１】
本発明は、装飾を施した釣竿やリール等の釣用品、ゴルフ用品、テニスやバトミントン用品等のスポーツ用品に関する。
【背景技術】
【０００２】
特許文献１に開示されるように、従来、釣竿やリール等の釣用品、ゴルフクラブ等のゴルフ用品、テニスやバトミントンのラケット用品等の各種スポーツ用品は、外観品質向上のため、ベースとなるフィルム上にホログラム箔や物理蒸着を施した箔を貼着して、これを用品の表面に固着することが行われている。
【０００３】
図４及び図５は特許文献１に開示された釣竿を示している。この従来例は、テトロン材のベース１の上に数μｍの厚さのホログラム箔３を乗せて、この表面を数μｍの透明状保護層５で覆い、更に、ベース１の裏面側に粘着剤層９を付着し、これを釣竿本体７の表面に固着させて装飾層１１を形成している。
【０００４】
そして、装飾層１１とその周囲をクリヤー塗装して、釣竿本体７の表面に厚さ４０〜５０μｍ程のクリヤー層１３を設けている。このクリヤー層１３によって装飾層１１の剥離が防止され、また、図示するようにクリヤー層１３は表面張力の関係で装飾層１１の上部で上方に凸な曲面形状になるため、ホログラム箔３の光輝感を凸レンズとして増幅させ、この結果、ホログラム箔３の輝きが立体的に浮き出て見え、宝石感を醸し出すことができる。
【先行技術文献】
【特許文献】
【０００５】
【特許文献１】特開平９−１８２５４６号公報
【発明の概要】
【発明が解決しようとする課題】
【０００６】
しかし、この従来例は、ホログラム箔３の形状保持や光輝性を維持するため、構造上、ベース１や保護層５を設けなければならなかった。
【０００７】
また、ホログラム箔３を装飾層１１の表面側に配置した構造上、長期に亘る使用によってホログラム箔３に色抜けが発生し易く、更に、装飾層１１部分に釣竿の変形や衝撃が繰り返し作用すると、ホログラム箔３にクラックが発生する虞があった。
【０００８】
このため、この従来例は、外部から視認するホログラム箔３自体の鮮やかな輝きを装飾に利用した構造上、ホログラム箔３に色抜けやクラックが発生してしまうと、光輝感が低下して商品価値が低下してしまう不具合があった。
【０００９】
本発明は斯かる実情に鑑み案出されたもので、鮮やかな外観を長期に亘って維持できる装飾を施したスポーツ用品を提供することを目的とする。
【課題を解決するための手段】
【００１０】
斯かる目的を達成するため、本発明は、用品本体の外側に、光輝性装飾層を粘着剤層で固着して装飾層を設けると共に、該装飾層を覆って透明状クリヤー層を設けたスポーツ用品であって、前記光輝性装飾層を、光を反射する光輝性金属蒸着層と、当該光輝性金属蒸着層を覆ってその表面に取り付き、外部からの光を前記光輝性金属蒸着層へ透過し、且つ光輝性金属蒸着層の色を隠蔽する有色層とで形成すると共に、前記光輝性装飾層は、周縁部が粘着剤層を覆って立体感を有し、前記透明状クリヤー層の表面は、装飾層を設けた部分が他の部位より膨出した形状となっていることを特徴とする。
【発明の効果】
【００１１】
本発明によれば、透明状クリヤー層が装飾層の上部で上方に凸な曲面形状になって、装飾層の光輝感を増幅させる凸レンズとして機能するため、装飾層の輝きが立体的に浮き出て見え、宝石感を醸し出すことができる。
【００１２】
この結果、立体感を有する装飾層が鮮やかな外観品質を醸し出し、通常の塗装を施したゴルフクラブに比し美観に優れ意匠的に優れたゴルフクラブを提供することが可能となる。
【００１３】
また、本発明は、有色層の内側に金属蒸着層を蒸着した構造上、装飾層を設けるに当たり、ベースとなる形状保持のための補強フィルムを用いる必要がない利点を有する。
【図面の簡単な説明】
【００１４】
【図１】本発明を適用したゴルフクラブシャフトの一実施形態の正面図である。
【図２】装飾層の部分断面図である。
【図３】装飾シールの部分断面図である。
【図４】装飾を施した従来の釣竿の部分正面図である。
【図５】図４のＶ−Ｖ線断面図である。
【発明を実施するための形態】
【００１５】
以下、本発明の実施形態を図面に基づいて説明する。
【００１６】
図１乃至図３は本発明をゴルフ用品に適用した一実施形態を示し、図１に於て、１５は強化繊維にマトリックス樹脂を含浸したプリプレグシートを芯金に巻回し、更に、強度の向上を図るため、補強プリプレグシートを部分的に巻回した後、テーピングによる締め付け，加熱硬化，芯金除去，テープの除去，研磨，塗装等の工程を経て製造されたゴルフクラブシャフト（以下、「シャフト」という）で、図示しないグリップが取り付くシャフト１５の後端側表面に装飾層１７が設けられている。
【００１７】
図２は装飾層１７の部分断面図、図３は装飾層１７をシャフト１５に設ける装飾シール（粘着シート）１９の部分断面図を示し、先ず、図３の装飾シール１９について説明する。
【００１８】
図中、２１は光輝性装飾層、２３は光輝性装飾層２１の裏面側に取り付く粘着剤層で、光輝性装飾層２１の表面に厚さ２５μｍ程のウレタンからなる柔軟性フィルム２５が張り付き、粘着剤層２３に厚さ１２５μｍ程の剥離フィルム２７が貼着されて装飾シール１９が形成されている。
【００１９】
そして、装飾シール１９を使用して装飾層１７を設ける場合、柔軟性フィルム２５と剥離フィルム２７を取り去り、粘着剤層２３により光輝性装飾層２１をシャフト１５の表面に貼着する。
【００２０】
光輝性装飾層２１は、着色（例えば赤色）された透明な厚さ１０〜３０μｍ程度、特に凸状に膨出させたい場合は２５〜６０μｍ程度とした柔軟性樹脂フィルムからなる有色層２９と、有色層２９の裏面側に蒸着された光輝性を有する厚さ０．２μｍ〜２μｍ程の金属蒸着層３１とで構成されている。有色層２９を形成する柔軟性樹脂フィルムは、一例として破断伸度６０％以上（好ましくは１２０％以上）、また、２０％の伸度範囲で元の状態に復元する特性を有している。
【００２１】
有色層２９は外部からの光を金属蒸着層３１に透過し、且つ金属蒸着層３１の金属色を隠蔽する特性を有している。一方、金属蒸着層３１は、有色層２９を透過した光を反射させて有色層２９に光輝性を与える機能を有している。
【００２２】
このため、光輝性装飾層２１（有色層２９）を上から見たとき、通常の塗装に比し有色層２９に着色された色が輝いて（光輝性を有して）視認できるようになっている。尚、有色層２９に施す着色は、ゴルフクラブの製造業者や販売業者等が作りたい色合いのものが適宜選択される。
【００２３】
一方、粘着剤層２３は、一例として２５μｍ程の厚さを有するアクリル系粘着剤からなり、装飾シール１９の未使用時は、図３に示すように粘着剤層２３によって光輝性装飾層２１が剥離フィルム２７に貼着されている。
【００２４】
そして、柔軟性フィルム２５と剥離フィルム２７を取り去り、光輝性装飾層２１をシャフト１５の表面に貼着して装飾層１７が形成されるが、例えば図１に示すように、装飾層１７が複数個の図形Ａを並べて形成されるとき、予め各図形Ａが、夫々、個々に光輝性装飾層２１と粘着剤層２３とで形成されて一枚の剥離フィルム２７に並べて貼着され、それらの表面を柔軟性フィルム２５が張り付いている。そして、これらをシャフト１５に貼り付ける場合、既述したように図形毎に柔軟性フィルム２５を剥がし、これらを剥離フィルム２７から剥がしてシャフト１５に貼着する。
【００２５】
また、剥離フィルム２７に貼着された光輝性装飾層２１は、装飾シール１９の製造時にプレスされて光輝性装飾層２１の周縁部が粘着剤層２３を覆って立体感を有しており、図２に示すように各図形Ａを形成する光輝性装飾層２１をシャフト１５に貼着したとき、光輝性装飾層２１の周縁部が粘着剤層２３を覆って、各図形Ａの装飾層１７が立体感を醸し出すようになっている。
【００２６】
尚、既述したように装飾シール１９の製造時に光輝性装飾層２１がプレスされてその周縁部が粘着剤層２３を覆うように形成される結果、光輝性装飾層２１の周縁部の先端にはプレスされた薄肉な粘着剤層２３が存在しており、シャフト１５に貼着したとき、光輝性装飾層２１の周縁部の先端はこの薄肉な粘着剤層２３によってシャフト１５の表面に確実に貼着されている。
【００２７】
そして、図２の如く各図形Ａの光輝性装飾層２１をシャフト１５に貼着して装飾層１７を設けた後、装飾層１７とその周囲にウレタン塗料，エポキシ塗料，フッ素塗料等の塗料を塗布して、透明または半透明な透明状クリヤー層３３が設けられており、複数の図形Ａからなる装飾層１７は厚さが２０μｍ以上８０μｍ以下で、透明状クリヤー層３３の表面は、装飾層１７の上部で上方に凸な曲面形状となっている。
【００２８】
本実施形態はこのように構成されており、既述したようにシャフト１５の後端側表面に装飾層１７を設け、更にその表面を覆って透明状クリヤー層３３を設けた後、シャフト１５の先端にゴルフクラブヘッドを装着し、シャフト１５の後端側にグリップを装着してゴルフクラブが製造される。
【００２９】
そして、例えば店頭でこのゴルフクラブを手にした購買者は、シャフト１５に施された装飾層１７を目にすることとなるが、透明状クリヤー層３３を通して装飾層１７を上から見ると、金属蒸着層３１からの反射光により有色層２９の色が輝いて視認される。
【００３０】
而も、透明状クリヤー層３３は、表面張力の関係で装飾層１７の上部で上方に凸な曲面形状になるため、装飾層１７の光輝感を凸レンズとして増幅させ、この結果、装飾層１７の輝きが立体的に浮き出て見え、宝石感を醸し出すことができる。
【００３１】
従って、通常の塗装を施したゴルフクラブに比し、装飾層１７が視覚を通じて鮮やかな美観を起こさせ、外観の優れたゴルフクラブとなって購買者の購買意欲を喚起させることとなる。
【００３２】
また、粘着剤層２３を覆うように形成された光輝性装飾層２１の周縁部の先端とシャフト１５の表面との間には薄肉な粘着剤層２３が介在しているため、光輝性装飾層２１の周縁部の先端がシャフト１５の表面に確実に貼着される。
【００３３】
而も、有色層２９の内側に金属蒸着層３１が蒸着され、有色層２９が破断伸度６０％以上、且つ２０％の伸度範囲で元の状態に復元する柔軟性樹脂フィルムで形成されているため、ゴルフクラブでボールを打球してシャフト１５の変形や衝撃が繰り返し作用しても、有色層２９の柔軟性樹脂フィルムが変形や衝撃を許容して装飾層１７の剥離やめくれをより確実に防止する。
【００３４】
更に、変形や衝撃が繰り返し作用して、仮に金属蒸着層３１の金属粒子間に隙間や亀裂が生じることがあっても、光輝性が損なわれることがなく鮮やかな装飾層１７が長期に亘って維持されることとなる。
【００３５】
このように本実施形態によれば、
(a)透明状クリヤー層３３が装飾層１７の上部で上方に凸な曲面形状になって、装飾層１７の光輝感を増幅させる凸レンズとして機能するため、装飾層１７の輝きが立体的に浮き出て見え、宝石感を醸し出すことができる。
【００３６】
この結果、立体感を有する装飾層１７が鮮やかな外観品質を醸し出し、通常の塗装を施したゴルフクラブに比し美観に優れ意匠的に優れたゴルフクラブを提供することが可能となる。
【００３７】
(b)図４及び図５の従来例では、ホログラム箔３の形状保持や光輝性を維持するためにベース１や保護層５を設けなければならなかったが、本実施形態は有色層２９の内側に金属蒸着層３１を蒸着した構造上、装飾層１７を設けるに当たり、ベースとなる形状保持のための補強フィルムを用いる必要がない利点を有する。
【００３８】
(c)変形や衝撃が繰り返し作用して、仮に金属蒸着層３１の金属粒子間に隙間や亀裂が生じることがあっても光輝性が確保できるため、図４の従来例に比し長期に亘って鮮やかな外観品質を維持することが可能となる。
【００３９】
(d)粘着剤層２３を覆うように形成された光輝性装飾層２１の周縁部の先端とシャフト１５の表面との間には薄肉な粘着剤層２３が介在しているため、ゴルフクラブでボールを打球してシャフト１５の変形や衝撃が繰り返し作用しても、装飾層１７の剥離やめくれが防止できる。
【００４０】
(e)有色層２９の内側に金属蒸着層３１が蒸着され、有色層２９が破断伸度６０％以上、且つ２０％の伸度範囲で元の状態に復元する柔軟性樹脂フィルムで形成されているため、ゴルフクラブでボールを打球してシャフト１５の変形や衝撃が繰り返し作用しても、柔軟性樹脂フィルムが変形や衝撃を許容して装飾層１７の剥離やめくれが防止できる利点を有する。
【００４１】
尚、前記実施形態は、本発明をシャフトに適用したが、本発明は、釣竿やリール等の釣用品、テニスやバトミントン用品等の各種スポーツ用品に適用できることは勿論である。
【符号の説明】
【００４２】
１５・・・シャフト、１７・・・装飾層、１９・・・装飾シール、２１・・・光輝性装飾層、２３・・・粘着剤層、２５・・・柔軟性フィルム、２７・・・剥離フィルム、２９・・・有色層、３１・・・光輝性装飾層、３３・・・透明状クリヤー層
【図１】
2013078322.tif 000003
【図２】
2013078322.tif 000004
【図３】
2013078322.tif 000005
【図４】
2013078322.tif 000006
【図５】
2013078322.tif 000007